Podtech/llm-jp-corpus-v4-ja_patent huggingface dataset:
(57)【要約】　　　（修正有）【目的】漏電ブレイカーに漏れ電流を表示する。【構成】漏れ電流検出回路１の信号を、表示回路４で表示する。接点解除動作回路２は漏れ電流検出回路１の信号で漏電時、接点解除動作回路に動作信号を送る回路３からの動作信号により、接点を遮断する。【選択図】　図１
0003097183.tif 000002
【実用新案登録請求の範囲】
【請求項１】
漏電の程度をレベル表示する、のを特徴とする漏電ブレーカー
【考案の詳細な説明】
【０００１】
【産業上の利用分野】
本考案は、従来の漏電ブレーカーに漏電レベル表示装置を取り付けた、新型のブレーカーに関するものである。
【０００２】
【従来の技術】
従来、漏電していても漏電ブレーカーガ動作する程度までは、分からず使用していた。
【０００３】
【考案が解決しようとする課題】
漏電の程度を表示する事により、配線回路の絶縁を管理できる。
【０００４】
【課題を解決するための手段】
本考案は、従来の漏電ブレーカーに漏れ電流レベルを表示させる様にした。
【０００５】
【作用】
変流器により漏れ電流を読み取り表示装置で表示する。
【０００６】
【実施例】
以下、添付図面に従って、実施例を説明する。
漏電ブレーカーの漏れ電流を検出する回路１、接点解除する回路２回路１の信号で回路２を動作させる回路、３、漏れ電流を表示する回路、４
【０００７】
【考案の効果】
上述のように、本考案の漏電レベル表示ブレーカーは、現在漏電ブレーカーが動作するぎりぎりまで漏電していても、配線回路をメガーで測定しない限り分からず使用している、このブレーカーで、漏れ電流を表示することにより、配線回路の安全管理ができる。（現在保安協会の定期検査まで分からないで使用している）
【図面の簡単な説明】
【図１】本考案の構造図
【符号の説明】
１、漏れ電流検出回路
２、接点解除動作回路
３、漏電時、２、に動作信号を送る回路
４、１、の漏れ電流を表示する回路
【図１】
0003097183.tif 000003
【手続補正書】
【提出日】平成15年5月7日(2003.5.7)
【手続補正１】
【補正対象書類名】明細書
【補正対象項目名】実用新案登録請求の範囲
【補正方法】変更
【補正の内容】
【実用新案登録請求の範囲】
【請求項１】
漏電ブレーカーの、０相変流器に電流表示器を接続し、０相変流器に流れる電流で、漏れ電流（漏電）を常時表示するのを特徴とする、漏電レベル表示付漏電ブレーカー。
【手続補正２】
【補正対象書類名】明細書
【補正対象項目名】考案の詳細な説明
【補正方法】変更
【補正の内容】
【考案の詳細な説明】
【０００１】
【産業上の利用分野】
本考案は、漏電ブレーカーに、漏れ電流の表示装置を取り付ける事により、漏電ブレーカーの切れる寸前の漏電を監視できる。
【０００２】
【従来の技術】
従来、漏電ブレーカーは、その時により感度設定で対応しています、しかしその設定まで、切断の動作はしませんので、絶縁測定しなくてはわからない。
【０００３】
【考案が解決しようとする課題】
漏れ電流を、常時表示する事により配線回路の絶縁状態をいつでも監視出きる様にする。
【０００４】
【課題を解決するための手段】
本考案は、従来の漏電ブレーカーの０相変流器の電流を高感度電流表示器で表示するようにした。
【０００５】
【作用】
漏れ電流（漏電）により０相変流に生じる電流を電流表示器で表示する。
【０００６】
【実施例】
以下、添付図面に従って、実施例を説明する。
漏電ブレーカーで、漏れ電流を検出するコイル、０相変流器：３、の出力が一定レベル以上になると、４：の駆動回路をへて２：の駆動装置により、１：の接点をはずす、ここまでが今までの漏電ブレーカー、３：の０相変流器の出力を、５：の電流表示器（電流計）で表示する。
【０００７】
【考案の効果】
上述の様に、本考案の漏電レベル表示ブレーカーは、現在漏電ブレーカーが動作するぎりぎりまで漏電していても、使用している、配線回路をメガーで測定しない限りわからず、危険である、およその配線管理が出来る。


【手続補正３】
【補正対象書類名】明細書
【補正対象項目名】図面の簡単な説明
【補正方法】変更
【補正の内容】
【図面の簡単な説明】
【図１】本考案の構造図であり、
１は、電源回路の接点　２は、接点を外す駆動装置　４は、駆動装置を動かす回路　３は、漏れ電流を読み取る、０相変流器　５は、０相変流器の出力を表示する電流表示器（電流計）
【符号の説明】
１：接点
２：駆動装置
３：０相変流器
４：駆動回路
５：電流表示器（電流計）


【手続補正４】
【補正対象書類名】図面
【補正対象項目名】全図
【補正方法】変更
【補正の内容】
【図１】
0003097183.tif 000004
(57)【要約】　　　（修正有）【課題】皮を剥いたバナナの実を、密封冷凍して、冷凍食品及び冷果として提供する。【解決手段】皮を剥いたバナナの実を食べやすい大きさに切り、密封して食べやすい固さのマイナス１０℃くらいに冷凍する。【選択図】図１
0003097181.tif 000002
【実用新案登録請求の範囲】
【請求項１】
皮を剥いたバナナの実を、密封冷凍し、冷凍食品及び冷果として提供する。
【考案の詳細な説明】
【０００１】
【課題】
本考案は、栄養豊富なバナナの特質を損なうことなく、純粋で美味な果物の冷凍食品及び冷菓を提供するものである。
【０００２】
【課題を解決するための手段】
皮を剥いたバナナの実を、一口で食べられる大きさに切り、用途に適した量をセロハンの袋等に入れ密封して冷凍する。
【０００３】
【効果】
使用するバナナは少々軟化したものでもよく、また冷凍することによって長期の保存が可能となり、資源の有効利用が図られる。
食用にさいし口のなかで融けるとき、ソフトクリームにもましてクリーミーな触感となり、栄養豊富で無添加の美味な食材を簡単、安価に製造できる。
【図面の簡単な説明】
【図１】皮を剥いた冷凍バナナを、セロハンのチューブで密封包装した平面図。
【図２】包装状態をしめす断面図。
【符号の説明】
１　皮を剥いた冷凍バナナ。
２　セロハンのチューブ。
３　密封のための接着部分。
４　バナナに入れた切れ目。
【図１】
0003097181.tif 000003
【手続補正書】
【提出日】平成15年4月14日(2003.4.14)
【手続補正１】
【補正対象書類名】明細書
【補正対象項目名】実用新案登録請求の範囲
【補正方法】変更
【補正の内容】
【実用新案登録請求の範囲】
【請求項１】
皮を剥いたバナナの実を、密封冷凍した冷凍食品又は冷菓。
【手続補正３】
【補正対象書類名】図面
【補正対象項目名】全図
【補正方法】追加
【補正の内容】
【図１】
0003097181.tif 000004
【図２】
0003097181.tif 000005
(57)【要約】【課題】一個の容器で複数の異なった飲料を飲むことのでき、また、複数個の容器に分割して形成しても、販売形態では従来の容器と同一の外径となり、従来の自動販売機を変更させることなく、そのまま使用できる飲料容器を開発・提供することにある。【解決手段】容器本体（１）を、複数の収納室（２）に区分するか、あるいは複数の容器（１ａ）を連結具（３）にて一体にして、従来の一個の容器に形成し、これらの収納室（２）、あるいは複数の容器（１ａ）に、それぞれ異なった複数種の飲料、例えば、コーヒーとウーロン茶、清涼飲料と果実飲料等、を充填することを特徴とする飲料容器。【選択図】　　　　図３
0003097156.tif 000002
【実用新案登録請求の範囲】
【請求項１】
容器本体（１）を、複数の収納室（２）に区分するか、あるいは複数の容器（１ａ）を連結具（３）にて一体にして、これらの収納室（２）、あるいは複数の容器（１ａ）に、それぞれ異なった複数種の飲料を充填することを特徴とする飲料容器。
【考案の詳細な説明】
【０００１】
【考案の属する技術分野】
この考案は、飲料容器に関するものである。
【０００２】
【従来の技術】
従来、飲料には、清涼飲料をはじめとし、果実飲料やお茶等が存在し、店頭や自動販売機等で販売されており、これらはアルミ製あるいは鉄製の容器が用いられている。
【０００３】
しかし、これらの容器は、老人や子供には内部の量が多すぎたり、また、一般の成人にとっては、一種類でなく、他の飲料が飲みたくなる場合もある。
【０００４】
しかしながら、飲料を二個も購入することは、経済的にも負担であり、また、量的に多すぎる場合もある。
【０００５】
さらに、昼食時にはお弁当を食べながらお茶を飲み、食後には、コーヒーも飲みたくなるが、その都度、飲料を購入するには、経済的な負担は大きいものであった。
【０００６】
【考案が解決しようとする課題】
そこでこの考案は、上記の欠点を除去し、一個の容器、あるいは一個の容器に結合した容器で複数の異なった飲料を飲むことのできる飲料容器を開発・提供することにある。
【０００７】
【課題を解決する為の手段】
そのため、この考案は、容器本体を、複数の収納室に区分するか、あるいは複数の容器を連結具にて一体にして、一個の容器状に形成し、これらの収納室あるいは、複数の容器に異なった複数種の飲料を充填可能にしたことを特徴とする飲料容器である。
【０００８】
【考案の実施の形態】
次に、この考案の一実施例を図面に従って詳述すると、容器本体（１）を、複数の収納室（２）に区分するか、あるいは複数の容器（１ａ）を連結具（３）にて一体にして、これらの収納室（２）、あるいは複数の容器（１ａ）に、それぞれ異なった複数種の飲料を充填することを特徴とする飲料容器から構成される。
【０００９】
そして、容器本体（１）の容量は、３５０ｍｌ（ミリリットル）入りの缶を基準としており、前述の複数の容器（１ａ）で形成するとは、断面形状が半円形の容器であり、平板状部（Ｘ）を、それぞれ背中合わせに当接し、連結具（３）で、従来の一個の容器状に形成するものである。
【００１０】
また、容器本体の素材は、アルミ製であっても、鉄製であってもよく、複数の収納室（２）ごとに、リップ式の取り出し口（４）、即ち、飲み口を設ける。
【００１１】
尚、図面には、リップ式の取り出し口（４）を設けたものを図示したが、他の手段であってもよい。例えば、ネジ式のキャップを設けたものであってもよく、特に、限定はしない。
【００１２】
また、容器本体（１）、あるいは複数の容器（１ａ）に入れる飲料は、例えば、コーヒーとウーロン茶であり、これらを夏期は冷蔵し、冬季はホットに加温して飲用するものである。
【００１３】
尚、一の容器本体（１）を、複数の収納室（２）に区分することが、製造コストにおいて、経済的に高くなる場合には、断面形状が半円形の容器とし、該容器の平板状部（Ｘ）を、それぞれ背中合わせに当接し、例えば、帯やシュリンク包装等の樹脂シートなどの連結具（３）で連結して、従来のような一個の円柱形の容器に設けたものであってもよい。
【００１４】
【考案の効果】
この考案によると、容器本体（１）を、複数の収納室（２）に区分するか、あるいは複数の容器（１ａ）を連結具（３）にて一体にして、これらの収納室（２）、あるいは複数の容器（１ａ）内に、異なった複数種の飲料を充填可能とすることにより、一個の容器（１）を購入することにより、異なった種類の飲料が楽しめ、また、複数個の容器（１ａ）に分割して形成しても、従来の一個の円柱形の容器に形成しているため、販売形態では、従来の容器と同一の外径となり、従来の自動販売機を変更させることなく、そのまま使用できる経済的である等極めて有益なる効果を奏するものである。
【図面の簡単な説明】
【図１】この考案の一実施例を示す斜視図である。
【図２】この考案の他の実施例を示す斜視図である。
【図３】この考案の使用状態を示す斜視図である。
【符号の説明】
１　容器本体
１ａ　容器
２　個室
３　連結具
４　取り出し口
Ｘ　平板状部
【図１】
0003097156.tif 000003
【図２】
0003097156.tif 000004
【図３】
0003097156.tif 000005
【手続補正書】
【提出日】平成15年5月19日(2003.5.19)
【手続補正１】
【補正対象書類名】明細書
【補正対象項目名】実用新案登録請求の範囲
【補正方法】変更
【補正の内容】
【実用新案登録請求の範囲】
【請求項１】
容器本体（１）を、仕切り板で仕切って、複数の収納室（２）を設け、各収納室（２）にそれぞれ異なった飲料を充填することを特徴とする飲料容器。
【請求項２】
複数の容器（１ａ）を連結具（３）にて一体にし、これら複数の容器（１ａ）に、それぞれ異なった複数種の飲料を充填することを特徴とする飲料容器。
(57)【要約】【課題】ワイシャツ等の衿の内側の汚れを防止する事により、洗濯の際の仕事の軽減と汗やほこりで汚れた部分を汚れ防止シートを取り替える事によって爽快感を得る。【解決方法】接着剤が付いた布地を衿の内側に貼る事により汚れを防止し剥がして使い捨てにする事で何処でも簡単に貼る替えられる。【実用新案登録請求の範囲】
【請求項１】
ワイシャツ〔図１〕の衿の内側に接着剤の付いた布地を〔図２〕貼り付けて汚れを防止する使い捨てシート
【考案の詳細な説明】
【０００１】
【考案が解決しようとする課題】
（１）ワイシャツを洗濯する時　衿の内側は、汚れが落ちにくいので部分的にブラシ等でこすり洗いをしないと汚れが落ちません。無理にこすり洗いをすれば、布地を傷めてしまうという問題点があつた。
（２）汗をかいた後の衿汚れを簡単に快適な状態にする方法が今までは、無かった。
【０００２】
【課題を解決するための手段】
上記目的を達成するために接着剤がついた布地を衿の内側に貼り付けワイシャツの衿に付く汚れを防止し汚れた布地は剥がして捨てる。
【０００３】
【考案の効果】
（１）汚れた部分の布地を剥がして捨てる事により洗濯する際衿の汚れが少なく洗濯が容易である。
（２）汗をかいて汚れたときには、衿の汚れ防止シートを変える事により快適になる。
【図面の簡単な説明】
【図１】ワイシャツの衿に使い捨てシートを付けている図である。
【図２】使い捨てシートの構造の図である。
【図１】
0003097150.tif 000002
【図２】
0003097150.tif 000003
(57)【要約】【目的】オクラの実を収穫するにあたり、切り口が奇麗な商品価値の高いオクラの実と、両手に装着して作業することにより、オクラの実を左右の手でそれぞれにつかむと同時に切り取ることで、作業能率を上げることの出来る鋏を提供しようとするものである。【構成】一般的な鋏の柄にあたる部分が無く支点と歯の部分で構成されている鋏で歯の側面が一方の歯は人差し指に、もう一方の歯は親指に沿っていて、支点が手首側にある鋏で、人差し指側の歯の側面から親指以外の指を複数掛けられるように、持具が出ていることにより、歯の向きを手のひらに対してほぼ直角に保つことができるようになっていて、親指側の歯の背を親指で押すことにより物を切ることが出来る。【選択図】　　　　　図２
0003097149.tif 000002
【実用新案登録請求の範囲】
【請求項１】
一般的な鋏の柄にあたる部分が無く支点と歯の部分で構成されている鋏で一方の歯の側面は人差し指に、もう一方の歯の側面は親指に沿っていて、支点が手首側にある鋏で、人差し指側の歯の側面から親指以外の指を複数掛けられるように、持具が出ていることにより、歯の向きを手のひらに対してほぼ直角に保つことができるようになっていて、親指側の歯に親指で力を加えることにより物を切る構造の鋏。
【請求項２】
作業手袋と一体加工し、手袋自体に歯の向きを手のひらに対してほぼ直角に保つことができる持具を兼ねさせた請求項１記載の鋏。
【考案の詳細な説明】
【０００１】
【産業上の利用分野】
本考案は、オクラの実の収穫をするときの鋏に関するものである。
【０００２】
【従来の技術】
従来、この種の鋏としては、剪定鋏があるが、一個の実を収穫するのに、実を持つ手と、鋏を持つ手の両手を使っているものが知られている。
【０００３】
【考案が解決しようとする課題】
従来の技術においては、鋏を使い、一個の実を収穫するのに、両手を使っていては、収穫の時間が長引くので、オクラの実の収穫においては、両手でそれぞれに実をもぎ取る方法が主流になっているが、鋏を使って収穫したものに比べると切り口が奇麗でないため商品価値が落ちてしまうという問題点を有していた。
【０００４】
本考案は、従来の技術の有するこのような問題点に鑑みてなされたものであり、その目的とするところは、オクラの実を収穫するにあたり、切り口が奇麗な商品価値の高いオクラの実と、両手に装着して作業することにより、オクラの実を左右の手でそれぞれにつかむと同時に切り取ることで、作業能率を上げることの出来る鋏を提供しようとするものである。
【０００５】
【課題を解決するための手段】
上記の目的を達成するために、本考案におけるオクラ鋏は、一般的な鋏の柄にあたる部分が無く支点と歯の部分で構成されている鋏で歯の側面が一方の歯は人差し指に、もう一方の歯は親指に沿っていて、支点が手首側にある鋏で、人差し指側の歯の側面から親指以外の指を複数掛けられるように、持具が出ていることにより、歯の向きを手のひらに対してほぼ直角に保つことができるようになっていて、親指側の歯の背を親指で押すことにより物を切る構造の鋏。
【０００６】
また、親指側の歯の背の部分は親指で押し易いように広くしたほうがよいし、歯は研ぐ手間が省けるので替え歯式にしても良い。
【０００７】
そして、兼用はできないので左手用、右手用が必要であるし、歯は力を加えない時は、バネで開くような構造になっているほうがよい。
【０００８】
オクラを収穫するときは、通常手袋をつけて作業をするので、持具は、手袋をつけたままでも装着できるように調節できるようにするか、手袋自体に本考案のオクラ鋏を一体加工してもよい。
【０００９】
【作用】
持具が人差し指側の歯の側面から親指以外の指を複数掛けられるように出ていることにより、手を様々な方向に向きを変えても、歯の向きを手のひらに対してほぼ直角に保つことができ、歯の位置も安定している。
【００１０】
そして、オクラの実の茎の意図する位置に歯がくるようにオクラの実を手のひらに握ったら、親指側の歯の背を親指で押すとオクラの実を切り取ることができる。
【００１１】
【実施例】
実施例について図面を参照して説明する。ただし左手用は右手用の逆つまり図面の用紙を裏から透かして見た状態なので右手用だけ図示してある。
図１〜図３において、歯の部分は製材所の帯のこ厚さ１ｍｍ程度の鋼鉄板を用いて、刃渡り１２〜１３ｃｍ程に加工し、親指側の歯の親指で押す部分は鋼鉄板を曲げて設け、人差し指側の歯についている持具は、幅約１ｃｍ５ｍｍ、厚さ約１ｍｍの鉄板を人差し指と中指の手の甲側と手のひら側それぞれに沿った形にして、２本の指を挟むように装着できるように加工することにより、指の太さに合わせて広げたり、狭めたりしてある程度の調節ができるようにして、歯のほぼ中央の位置に溶接で固定してある。
【００１２】
親指側の歯の背は押さえやすいように曲げ加工して広くしてあり、バネを付けて押さえる力を抜いたときは、歯が開くようにしてある。
【００１３】
【考案の効果】
本考案は、上述のとおり構成されているので、次に記載する効果を奏ずる。
【００１４】
請求項１の人差し指側の歯の側面から親指以外の指を複数掛けられるように、持具が出ていることにより、歯の向きを手のひらに対してほぼ直角に保つことができる鋏においては、オクラの実を色々な方向から手でつかんでも、歯の位置が保たれるので実の茎を意図するところで切ることができ、片手だけで実をつかみ、切り取る作業が簡単にできる。また持具は、指の太さに合わせて調節できるので手袋を着けた上からでもつけられる。
【００１５】
作業手袋と一体加工し、手袋自体に歯の向きを手のひらに対してほぼ直角に保つことができる持具を兼ねさせた請求項２の鋏においては、オクラの実を収穫する場合には、オクラの実に有るトゲから手を保護するのに手袋は必需品であるので、ハサミ付きの手袋はすごく便利である。
【図面の簡単な説明】
【図１】本考案を右手に装着したときのの斜視図である。
【図２】右手用の本考案の手のひら側からの斜視図である。
【図３】右手用の本考案の手のひらと逆の側からの斜視図である。
【図１】
0003097149.tif 000003
【図２】
0003097149.tif 000004
【図３】
0003097149.tif 000005
(57)【要約】【課題】設定した目標や変革行動への取り組み意欲を容易に維持・継続させる。【解決手段】人が自ら設定した目標や変革行動への意欲を高めるために、その目標や変革行動を明確にして具体的に記述すること。また目標達成や変革行動への意識を維持・継続させるために、目標達成や変革行動を容易に想起させる色彩心理学に基づく彩色がほどこされた幾何学模様を凝視しながらイメージ・トレーニングをすることにより、この幾何学模様を見るだけで、意識の忘却を防ぎ、意欲の維持継続を図るものである。【選択図】　　図２
0003097148.tif 000002
【実用新案登録請求の範囲】
【請求項１】
目標や成功イメージを自由に記入できる面と、目標が達成された状態や成功した状態を想起させる色彩心理学に基づく彩色がほどこされた幾何学模様を有するイメージ・トレーニング用カード
【請求項２】
行動変革のために、新たに取り組もうと思っていることを自由に記入できる面と、新たな行動に意欲的に取り組んでいる姿を想起させる色彩心理学に基づく色彩がほどこされた幾何学模様を有するイメージ・トレーニング用カード
【請求項３】
行動変革のために、やめようと思っていることを自由に記入できる面と、やめたい行動を落ち着いて制御している姿を想起させる色彩心理学に基づく彩色がほどこされた幾何学模様を有するイメージ・トレーニング用カード
【考案の詳細な説明】
【０００１】
【考案の属する技術分野】スポーツ、学習、ビジネスなどの能力開発分野
【０００２】
【従来の技術】嗅覚刺激　聴覚刺激　ＶＴＲ視聴など
【０００３】
【考案が解決しようとする課題】設定した目標や変革行動への取り組み意欲を容易に維持・継続せる。
【０００４】
【課題を解決するための手段】脳が自分の言ったことを安定化させるという活動に着目し、人が自ら設定した目標や変革行動を明確にして具体的に記述することにより、目標達成や変革行動への意欲を高めること。また目標達成や変革行動への意識を維持・継続させるために、目標達成や変革行動を容易に想起させる色彩心理学に基づく彩色がほどこされた幾何学模様を凝視しながらイメージ・トレーニングをすることにより、この幾何学模様を見るだけで、意識の忘却を防ぎ、意欲の維持継続を図るものである。
【０００５】
【考案の実施形態】図面の図１、図３、図５のカードの所定部分に、自己の立てた目標や成功イメージと変革行動を記述する。次に図２、図４、図６を１分間程度凝視した後に、目を閉じ、まぶた裏に残像を浮かべながら、図１、図３、図５のカードの所定部分に記述された自己の立てた目標や成功イメージと変革行動内容を思い浮かべながらイメージ・トレーニングを実施する。なお、図１と図２、図３と図４及び図５と図６は携行に適したカードの表裏あるいは、片面の上下のいずれかに表記する。また図２、図４、図６を筆記具、お守り、リストバンドなどの日常の携行物に表記することにより、あるいは図２、図４、図６の図形を表記したシールなどを日常の携行物に貼ることによって、当該図形が視野に入る状態を保つことができ、その結果自己の立てた目標、成功イメージや変革行動が想起され、意欲を維持・継続することができる。
【０００６】
【実施例】スポーツ、学習の分野において試用し、効果を上げている。
【０００７】
【考案の効果】この考案の効果としては、図２、図４、図６を見るだけで、自己の立てた目標や変革行動を想起させることができるため、意識の忘却を防ぎ、達成意欲の継続を図ることができる。
【図面の簡単な説明】
【図１】自分の目標を記入する部分
【図２】目標を達成し、成功している状態をイメージしており、ＶＩＣＴＯＲＹのＶと両手を広げて喜んでいる様子をあらわした模様。色彩心理学に基づき、成功の色として赤を基調としている。
【図３】自分が始めたいことを記入する部分
【図４】困難なことに立ち向かっている状態をイメージしており、１歩１歩、目標達成へ向けた階段を登っている様子をあらわした模様。色彩心理学に基づき、意欲を高める色として黄色を基調としている。
【図５】自分が止めたいことを記入する部分
【図６】立ち止まって落ち着いて考えている状態をイメージしており、森の中で合掌しながら考えている様子をあらわした模様。色彩心理学に基づき、気持ちを穏やかにする色として緑を基調としている。
【図１】
0003097148.tif 000003
【図２】
0003097148.tif 000004
【図３】
0003097148.tif 000005
【図４】
0003097148.tif 000006
【図５】
0003097148.tif 000007
【図６】
0003097148.tif 000008
(57)【要約】　　　（修正有）【課題】缶の内容物を、外壁に貼付したシートを剥がすことにより覗き見ることの可能な缶の提供。【解決手段】缶１の一部に穴４を複数設け、穴を内壁から透明シート３で塞ぎ、外壁を遮光性シート２で覆った構造を持つ缶。【選択図】　図１
0003097284.tif 000002
【実用新案登録請求の範囲】
【請求項１】
飲料缶の内壁及び外壁の一部又は全部に透明部を設けた飲料缶
【請求項２】
飲料缶の一部又は全部に、任意形状の穴を単数又は複数設け、該部分の内側或いは外側、又は両側にシールを貼付或いは組み合わせた飲料缶
【請求項３】
飲料缶の表面の一部に任意形状の凹部を設け、該任意形状部を引き剥がすと、内壁に貼付された透明シートより内容物を覗き見ることが可能な飲料缶
【考案の詳細な説明】
【０００１】
［考案が解決しようとする課題］
従来の飲料缶は、全部が金属で構成され、内容物を容易に覗き見ることが出来なかった。
【０００２】
［課題を解決するための手段］
［０１］
金属製の飲料缶１の一部の適当な区画を選択し、単数又は複数の任意形状の穴４を設ける。この穴は、内側から透明シート３で塞がれ、内容物の漏れ出しは無い。同穴は、外側から遮光性のシート２で覆われ、飲料の光による性質劣化を防ぐ。
［０２］
本考案の飲料缶を使用して、内容物を覗き見る場合は、遮光性シート２を指で剥がせばよい。遮光シート２を剥がした後の缶の外壁には、該シートで覆われていた複数の穴４が見え、それらを通して缶内の液体が見える。
［０３］
図４は、缶に開けた穴を縦長の矩形状にした例である。
［０４］
図５は、缶の表面に凹形状の溝６を付けた例で、５は凹部で囲まれた部分を引き剥がすための引き具である。図６に指７で引き具５を引っ掛け、溝６で囲まれた部分を引き剥がす時の状態図を示す。缶の内壁には、凹部で囲まれた区画より面積を広くした透明シート３が貼られており、凹部で囲まれた部分が引き剥がされた後の飲料の漏れを防ぐ。
【０００３】
［考案の効果］
ビール等の発泡性飲料を飲む場合、味覚だけでなく視覚的な雰囲気が好まれる。本考案を使えば、従来の金属で出来た缶でも内容物を覗き見ることが可能で、視覚的な効果が得られる。又、本考案を他の液体の缶に利用すれば、容易に内容物の視認が可能となる。
【図面の簡単な説明】
【図１】本考案を具備した缶の断面図と外観図である。
【図２】図１の断面図を拡大した説明図である。
【図３】遮光性シート２を一部引き剥がし時の説明図である。
【図４】穴４の形状を矩形状にした例である。
【図５】遮光性シートが無く、缶の一部を引き剥がせる構造にした例。
【図６】図５の構造で、引き具を引っ張り、指で缶の一部を引き剥がしている状態図である。
【符号の説明】
１　飲料用缶
２　遮光性シート
３　漏れ防止用透明シート
４　穴
５　引き具
【図１】
0003097284.tif 000003
【図２】
0003097284.tif 000004
【図３】
0003097284.tif 000005
【図４】
0003097284.tif 000006
【図５】
0003097284.tif 000007
【図６】
0003097284.tif 000008
(57)【要約】【課題】洋傘に音再生、光通信、照明機能を付ける。【解決手段】洋傘では手元と呼ばれる柄内部に上記諸機能を内蔵した構造にし、洋傘のデザイン、外観を損なわないようにした。【選択図】　　　図１
0003097285.tif 000002
【実用新案登録請求の範囲】
【請求項１】
洋傘の手元２と呼ばれる柄の内部に（以下柄と呼称）、音の再生、制御に必要とする諸機能を具備していることを特徴にする雨歌れ傘。
【請求項２】
請求項１柄底部にＬＥＤを光源に、照明窓５より照明する、柄が照明具としての機能を特徴にする雨歌れ傘。
【請求項３】
請求項１柄の内部に光通信機能を付加し、光通信機能をもつ小型音源ユニット間と、傘裏側に光通信による効果的な音場設定を可能にしたことを特徴にする雨歌れ傘。
【考案の詳細な説明】
【０００１】
【産業上の利用分野】
本考案は、洋傘のマイドームで雨の日も、晴れた日もマイメロデーで楽しく、雨歌れ傘に関する。
【０００２】
【従来の技術】
従来、傘は雨対策本位であったが近時は晴雨兼用傘、ファッション性や、服装に合わせて傘を使い分けるなど需要が拡大し、デザインは一段と多彩になっているが、機能面の欠如など課題がある。
【０００３】
【考案が解決しようとする課題】
本考案は、上記課題に鑑み一案としてなされたもので、柄内部に音源の半導体メモリーチップ、関連電子回路、光通信機能、小型スピーカー、光源ＬＥＤ、電源などを組み込み、外部操作で柄内部からメロデーが流れ出る機能を提供することを目的とするものである。
【０００４】
更に本考案には、柄底部に高輝度のＬＥＤを光源とする照明具としての機能があり、例えば雨天時の暗夜、車のドアキー操作に、足下の安全に仄かであれ明かりが必要なとき便利である。
【０００５】
洋傘の柄は従来取り外し交換ができる。外部デザイン、形状の異なるものが多種ある柄内部に適応して上記諸機能を内蔵し、防水加工を施したそれぞれの柄を既製または手持ちの傘にマッチした柄との交換で機能の利用体験ができる。
【０００６】
柄のもつ諸機能は、単独利用できるが、本案では開傘した洋傘裏側をドーム形状の音場利用も目的にし、開傘した洋傘の上方にあたるドーム底部近辺に請求項３光通信機能をもつ小型音源ユニットを設定し、請求項３光通信機能により光通信窓７より送られてくる音のデータを受信し、ドーム効果がプラスされた雰囲気のある再生音を楽しむことができる。長傘、折りたたみ傘など洋傘は屈折部位が多く、電線による接続が困難であるため光通信による接続を採用したものである。
【０００７】
【実施例】
チップの交換により曲目、鳥の声、虫の音、オリジナル音など音源は多岐に亘って選択できる。以上の諸機能は洋傘に限らず、和傘にも本考案をコンパクトにユニット化することで柄の適当な位置に取り付け利用できる。
【０００８】
【考案の効果】
本考案では以上のように構成したので、周囲の迷惑を考えた僅かな音量で交通の安全に留意しながら、時には小型音源ユニット間と光通信で独自の雰囲気で音を楽しみ、癒しなど優れた効果も期待できる。
【図面の簡単な説明】
【図１】洋傘では手元２と呼ばれる柄、中棒（一部）３の斜視図である。
【符号の説明】
１　　　スピーカー
２　　　手元
３　　　中棒
４　　　スイッチ
５　　　照明窓
６　　　電池交換口
７　　　光通信窓
【図１】
0003097285.tif 000003
(57)【要約】　　　（修正有）【課題】シート状冷却剤を額等の目的とする部位に脱落することなく安定に装着することができるシート状冷却剤装着用バンドの提供。【解決手段】環状バンド本体に、シート状冷却剤収納保持部を形成した。このシート状冷却剤収納保持部は、シート状冷却剤５０を収納保持し得るものであれば、その具体的構造の如何を問わないが、この実施の形態においては、環状バンド本体１０の一部を、外層部２１と内層部２２の二重構造部２０とすると共に、その上部のみにシート状冷却剤５０の挿脱用の開口部２３を設けて形成されている。【選択図】　図１
0003097289.tif 000002
【実用新案登録請求の範囲】
【請求項１】
環状バンド本体に、シート状冷却剤収納保持部を形成したことを特徴とするシート状冷却剤装着用バンド。
【請求項２】
シート状冷却剤収納保持部が、環状バンド本体の一部を上部が開口した二重構造部とすることによって形成されていることを特徴とする請求項１記載のシート状冷却剤装着用バンド。
【請求項３】
シート状冷却剤収納保持部が、環状バンド本体の前面の一部に形成されたポケットであることを特徴とする請求項１記載のシート状冷却剤装着用バンド。
【請求項４】
ポケットの外被部の一部又は全部が、面ファスナーにより環状バンド本体に着脱自在に取り付けられていることを特徴とする請求項３記載のシート状冷却剤装着用バンド。
【請求項５】
シート状冷却剤収納保持部が網目状体となっていることを特徴とする請求項１〜４の何れか１項記載のシート状冷却剤装着用バンド。
【請求項６】
環状バンド本体が伸縮性を有することを特徴とする請求項１〜５の何れか１項記載のシート状冷却剤装着用バンド。
【請求項７】
環状バンド本体が、帯状のバンド体の両端を面ファスナーにより環状に連結せしめたものである請求項１〜６の何れか１項記載のシート状冷却剤装着用バンド。
【考案の詳細な説明】
【０００１】
【考案の属する技術分野】
本考案は、シート状冷却剤を額等の目的部位に脱落することなく安定に装着するためのバンドに関する。
【０００２】
【従来の技術】
かぜによる発熱時や頭痛時、あるいは打撲・捻挫等による発熱時、更には勉強や仕事時の眠気ざましのために、額等の患部や目的部位に貼付して使用されるシート状の冷却剤が、その簡便性の故に広く普及している。
しかしながら、斯かるシート状の冷却剤は、皮膚に対して粘着性がないか、あるいはあってもその粘着力は甚だ薄弱なものであったため、体を動かすと貼付部位から簡単に剥がれ落ちてしまうと云う問題があった。
【０００３】
【考案が解決しようとする課題】
本考案は、上記の如きシート状冷却剤の貼付性の問題に鑑みてなされたもので、シート状冷却剤を額等の目的とする部位に脱落することなく安定に装着することができるシート状冷却剤装着用バンドを提供することを目的とする。
【０００４】
【課題を解決するための手段】
本考案は、環状バンド本体に、シート状冷却剤収納保持部を形成することにより上記目的を達成したものである。
【０００５】
【考案の実施の形態】
以下本考案の実施の形態を図面と共に説明する。
【０００６】
図１及び図２は、本考案の第１の実施の形態を示すもので、環状バンド本体１０に、シート状冷却剤収納保持部が形成されている。
【０００７】
このシート状冷却剤収納保持部は、シート状冷却剤５０を収納保持し得るものであれば、その具体的構造の如何を問わないが、この実施の形態においては、環状バンド本体１０の一部を、外層部２１と内層部２２の二重構造部２０とすると共に、その上部のみにシート状冷却剤５０の挿脱用の開口部２３を設けて形成されている。
【０００８】
当該二重構造部２０、すなわち外層部２１と内層部２２は、シート状冷却剤５０の冷却作用が損われないように、特に網目状体Ｍとするのが望ましい。
【０００９】
環状バンド本体１０の材質は特に限定されないが、伸縮性を有するものが装着操作性並びにフィット性に優れ、より望ましい。
また、環状バンド本体１０は全体を環状の一体成形体としても良いが、図１に示す如く、帯状のバンド体を、その両端部において面ファスナーにより着脱自在に環状に連結せしめたものが装着操作性に優れ、より望ましい。
【００１０】
而して、この実施の形態においては、図２に示す如く、シート状冷却剤５０は、環状バンド本体１０の開口部２３から挿入され、外層部２１と内層部２２との間に収納保持された状態で額等の目的部位に装着される。
【００１１】
図３〜図５は、本考案の第２の実施の形態を示すもので、シート状冷却剤収納保持部が、環状バンド本体１０の前面の一部に形成されたポケット３０によって構成されている。
【００１２】
このポケット３０は、シート状冷却剤５０の挿脱用の開口部を上部、左側部、右側部の何れか一つ以上に備えたものであれば良いが、図４及び図５に示す如く、ポケット３０の外被部３１の周囲の一部又は全部を面ファスナー４０により環状バンド本体１０に着脱自在に取り付けるのが、シート状冷却剤５０の収納操作性に優れ、望ましい。
【００１３】
また、この実施の形態においても、ポケット３０に対応する環状バンド本体１０と外被部３１は網目体Ｍとするのがシート状冷却剤５０の冷却作用上より望ましい。
【００１４】
而して、この実施の形態においては、図４に示す如く、シート状冷却剤５０は、ポケット３０、すなわち環状バンド本体１０と外被部３１との間に収納保持された状態で額等の目的部位に装着される。
【００１５】
【考案の効果】
本考案シート状冷却剤装着用バンドを用いれば、粘着力が薄弱ないし存在しないシート状冷却剤であっても、これを額等の目的とする部位に、脱落の恐れなく容易かつ安定に装着することができる。特に、シート状冷却剤収納保持部を網目状構造とすることで、シート状冷却剤の冷却作用は何ら損われることはない。また、適宜装着部に対応したサイズとすることにより、ヘッドバンド、リストバンド、アームバンド、ネックバンドとして、野外でのスポーツやリクレーション時などに、体を冷却するアイシング用としても手軽にシート状冷却剤を装着使用することが可能となる。
【図面の簡単な説明】
【図１】本考案の実施の形態を示す斜視図。
【図２】図１に示す二重構造部の拡大縦断面図。
【図３】本考案の他の実施の形態を示す要部正面図。
【図４】図２に示すポケットの縦断面図。
【図５】図３に示すポケットの外被部を開いた状態の縦断面図。
【符号の説明】
１０：環状バンド本体
２０：二重構造部
２１：外層部
２２：内層部
２３：開口部
３０：ポケット部
３１：外被部
４０：面ファスナー
５０：シート状冷却剤
Ｍ：網目状体
【図１】
0003097289.tif 000003
【図２】
0003097289.tif 000004
【図３】
0003097289.tif 000005
【図４】
0003097289.tif 000006
【図５】
0003097289.tif 000007
(57)【要約】【課題】キャスティングして、１回または数回、岩やテトラポットに当たるだけで、メタルジグ本体やアイＢ、Ｂが曲がったり、折れたりして使い物にならなくなるということがあった。何度も岩やテトラポットに当たってもメタルジグ本体やアイが曲がったり、折れたりしにくいメタルジグを得ることを目的とする。【解決手段】メタルジグの骨材に両端にアイを一体成形したフレームを使用していることを特徴とする。【選択図】　　　　図２
0003097288.tif 000002
【実用新案登録請求の範囲】
【請求項１】
両端にアイを一体成形したフレームを骨材に使用していることを特徴とするメタルジグ。
【考案の詳細な説明】
【０００１】
【考案の属する技術分野】
本考案は、メタルジグと称される金属で出来た擬似餌に関するものである。
【０００２】
【従来の技術】
従来のメタルジグには、図４の如く、１本のワイヤーを略長円形に形成した骨材３を使用しているものが知られている。前記略長円形の骨材の両端はメタルジグ本体から突出し、アイＢ、Ｂを形成している。それぞれ、一方のアイＢは釣り糸を結ぶ為、他方のアイＢは釣り針を装着する為の用を成す。
【０００３】
メタルジグはルアーのようにキャスティングして使用する。特に岩やテトラポット等の根元に潜んでいる魚を狙う場合には、岩やテトラポットの際を目掛けてキャストするが、際に着水せずそのまま岩やテトラポットに当たることがよくある。その時メタルジグは勢いよく岩やテトラポットに当たるので、強い衝撃が加わる。メタルジグは、何度もキャスティングを繰り返して使用するが、１回または数回、岩やテトラポットに当たるだけで、メタルジグ本体やアイＢ、Ｂが曲がったり、折れたりして使い物にならなくなるということがあった。
【０００４】
これは、メタルジグの本体は変形しやすい鉛で出来ており、中の骨材もワイヤー状のため、岩やテトラポットに当たって強い衝撃が加わると骨材まで曲がってしまい、メタルジグの全形を維持できない為である。一方アイＢ、Ｂもワイヤーを略長円形に曲げて形成された骨材の両端部分である為、岩やテトラポットに当たると曲がりやすかった。
【０００５】
【考案が解決しようとする課題】
解決しようとする問題点は、メタルジグをキャスティングした際、岩やテトラポットに当たることにより、メタルジグ本体やアイが曲がったり、折れたりするという点である。
【課題を解決するための手段】
【０００６】
【課題を解決するための手段】
本考案はキャスティングして、岩やテトラポットに何度も当たっても、容易にメタルジグの本体やアイが
変形しないように、骨材に両端にアイＡ、Ａを一体成形されたフレーム１を使用することを特徴とする。
【０００７】
【考案の実施の形態】
本考案の実施例を図面を用いて説明する。図１は本考案を実施したメタルジグである。下部のアイＡにはスプリットリング４を装着し、前記スプリットリング４に釣り針５を装着している。図２は、図１のメタルジグ本体の中央縦断面図である。図２のフレーム１は、ほぼ等幅で、４つの中空部２を有し、かつ両端にアイＡ、Ａを一体成形したものであるが、フレームのメタルジグ本体に包含される部分の形状や大きさは、メタルジグの外形に合わせて変えるのが望ましい。具体的には図３のように、両端のアイＡ、Ａに近い部位を除いたフレームを、メタルジグの外形の８０％ー９０％前後に縮小した大きさ、形状にするのが望ましい。鉛が中空部２に流れ込むことによりフレーム１と鉛との接着力が増すので、中空部２の数を増やすことにより、より強い接着力を得ることが出来る。そのためフレーム１の中空部２の数もメタルジグの大きさに応じて変えるのが望ましく、具体的にはメタルジグが小さい場合は１個、大きくなるに従い数個にするのが望ましい。
【０００８】
また、骨材となるフレームは鉄または、ステンレス製のもが望ましい。フレームは鉄またはステンレスの板材を所定のフレームの形状に合わせて造られた金型でプレスし打ち抜くことにより得られる。その他、板材をレ−ザー加工機で所定の形状に切り抜くという方法などがあるが、複数のフレームを同時に打ち抜けるような金型でプレスする方法がもっとも効率よく安価に製造できる。
【０００９】
図１のメタルジグは、所定のメタルジグの形状を造形することが出来る片開きの鋳型に骨材のフレーム１を置き、鋳型を閉じて鉛を流し込むことによって得られる。この場合は、鉛を手流しで流し込む製造方法であるが、ダイキャストマシンを用いても製造することもできる。
【００１０】
【考案の効果】
以上説明したように本考案のメタルジグは、骨材に両端にアイＡ、Ａを一体成形したフレームを用いているため、キャスティングして、岩やテトラポットに当たっても、メタルジグ本体はフレームで支えられているので、曲がったり、折れたりすることがない。また、アイＡ、Ａもフレームと一体成形されているため、従来のワイヤーで形成されたアイＢ、Ｂよりも強度があり、曲がったり、折れたりしにくい。よって、より耐久性があるメタルジグを得ることができる。
【図面の簡単な説明】
【図１】本考案を実施したメタルジグ１
【図２】本考案を実施したメタルジグ１の中央縦断面図
【図３】本考案を実施したメタルジグ２の中央縦断面図
【図４】従来のメタルジグの中央縦断面図
【符号の説明】
１　　フレーム
２　　中空部
３　　ワイヤーで成形された骨材
４　　スプリットリング
５　　釣り針
Ａ　　本考案を実施したメタルジグのアイ
Ｂ　　従来のメタルジグのアイ
【図１】
0003097288.tif 000003
【図２】
0003097288.tif 000004
【図３】
0003097288.tif 000005
【図４】
0003097288.tif 000006
(57)【要約】　　　（修正有）【課題】既存の電気器具に付属されている、数字表示器のセグメント点灯とセグメント点灯位置を遠隔地から読取り監視監理するための、光学センサーの開発。【解決手段】数字表示器のセグメントに合わせて格子状プリント基板４を造り、セグメントに相対する位置のプリント基板に、光センサー２をハンダ付け固定します、セグメントの点灯光を光センサーで感知検出し、電気信号に変換して出力します。送られてきた電気信号を、手元読取り機で数字に変更して、監視監理します。【選択図】　　図３
0003097286.tif 000002
【実用新案登録請求の範囲】
【請求項１】
数字セグメント表示器の各セグメントの点灯位置を、表示器の発光表面に密着取り付けして感知検出するセンサーで、点灯位置光感知検出に発光ダイオードを光センサーとして使用し、格子状に造ったプリント基板にセグメントに相対する位置に固定し取り付け、セグメントが点灯したとき、それぞれの光センサーが光を感知検出し、セグメントの点灯と点灯位置を電気信号に変換して出力する、数字表示器のセグメント点灯位置検出センサー。
【請求項２】
点灯位置光検出にホト・トランジスターを光センサーとして使用した、請求項１の数字表示器のセグメント点灯位置検出センサー。
【請求項３】
点灯位置光検出にホト・ダイオードを光センサーとして使用した、請求項１の数字表示器のセグメント点灯位置検出センサー。
【考案の詳細な説明】
【０００１】
【考案の属する技術分野】
本考案は、電気産業界で使用されている、数字セグメント表示器の各セグメントの点灯と点灯位置を遠隔地で監視監理するためのセンサーで、表示器表面からセグメント点灯を光センサーで感知検出し、電気信号に変換して出力し、セグメントの点灯と点灯位置を確認するセンサーに関する。
【０００２】
【従来の技術】
従来、数字表示器のセグメント点灯は人間の目で視覚点灯確認する方法で、光学センサーでセグメントの点灯や点灯位置を検出し、電気信号に変換して出力し遠隔地で監視監理できるセンサーは有りません。
【０００３】
【考案が解決しょうとする課題】
数字表示器のセグメント点灯と点灯位置を遠隔地で監視監理する目的と、表示器の全面に簡単に取り付ける構造の、光学密着センサーの開発です。
【０００４】
【課題を解決するための手段】
数字表示器発光面に被せるように取り付け固定し、表面からセグメント点灯を感知検出する構造に、格子状に造ったプリント基板にセグメントと相対する位置に、光センサーを固定します、セグメントに通電し点灯した光を、それぞれの光センサーが感知検出し、電気信号に変換して点灯と点灯位置を出力します。
【０００５】
【考案の実施の形態】
図面１のプリント基板１を，数字表示器７のセグメントに合わせて、格子状に造り、格子部分に光センサー２をハンダ付けして固定します。
図面２は、本考案の構成部品で、上部に組み込む半透明の保護板３、光センサーを組み付けたプリント基板４、プリント基板４を組み込む取り付け具５、数字表示器７と取り付け具５を張り付ける両面粘着テープ６。
図面３は、本考案セグメント点灯位置検出センサーの図面２構成部品組み立て断面図でプリント基板４は、半透明の保護板３と取り付け具５に挟む様に組み立てられます。
図面４は、実施図で数字表示器７に本考案セグメント点灯位置検出センサーを両面粘着テープ６で取り付けたときの図です。
【０００６】
【考案の効果】
既存の電気器具に付属されている、数字表示器に本考案のセンサーを取り付け、数字表示器のセグメント点灯およびセグメント点灯位置を光センサーで感知検出し、電気信号に変換して出力するから、遠隔地にいて数字表示器の点灯数字が確認でき、数字表示器のセグメント点灯を監視監理することで、電気器具の故障や稼働状態が遠隔地に居て監視監理できます。
【図面の簡単な説明】
【図１】格子状プリント基板１に光センサー２を固定した図
【図２】本考案センサーの構成部品図
【図３】本考案センサーの組み立て断面図
【図４】数字表示器７に本考案センサーを取り付けた図
【図１】
0003097286.tif 000003
【図２】
0003097286.tif 000004
【図３】
0003097286.tif 000005
【図４】
0003097286.tif 000006
(57)【要約】【課題】従来の蛍光灯は平面的であるので、取り付け具などで光と光が重なり合い、光を減少している。【解決手段】本考案は、蛍光灯の形を螺旋形にすることで立体的にし、蛍光灯の光の重なりをなくし、また、光を妨げるものをなくすので、光を多く有効にキャッチさせるものである。【選択図】　図２
0003097262.tif 000002
【実用新案登録請求の範囲】
【請求項１】
螺旋形の形をした蛍光灯。
【考案の詳細な説明】
【０００１】
【考案の属する技術分野】
この考案は、蛍光灯の光を、蛍光灯１個にて光を上下左右に分散させるものである。
【０００２】
【従来の技術】
従来は平面に取り付けるため、取り付けた板又は蛍光灯同士が重なり合うなどして、光の無駄又は減少が起こった。
【０００３】
【考案が解決しようとする課題】
蛍光灯の光を多岐に届けるため、螺旋形にすることにより、従来の平面的な光と光のぶつかり合いをなくす。
【０００４】
【課題を解決するための手段】
本考案は、螺旋形で立体的であるため、光と光が交錯することなく、光の無駄がない。
【０００５】
【考案の実施の形態】
本考案は、螺旋形の立体的なものにて、大きくもでき、吊り下げることもできる。
【０００６】
【考案の効果】
本考案は、蛍光灯の形が螺旋形であるため、大きくも小さくもでき、光を遮るものがなく光を全部キャッチするので、電力の無駄がないという大きな効果がある。
【図面の簡単な説明】
【図１】本考案を上より見た図
【図２】本考案の側面図
【図３】本考案の蛍光灯の取り付け台の側面図
【符号の説明】
１　本考案の蛍光灯
２　蛍光灯の取り付け柱
３　柱取り付け台
【図１】
0003097262.tif 000003
【図２】
0003097262.tif 000004
【図３】
0003097262.tif 000005
(57)【要約】　　　（修正有）【課題】飲料用缶容器の中央部に中仕切りを設ける事により、飲み残しをなくし衛生上も問題が少なくなる飲料用缶容器の提供。【解決手段】飲料用缶容器の中央部に中仕切りを設ける事により、上下の中身の区分により、１缶で２種類の飲み物を飲料されるので楽しみも増すものと考えられる。【選択図】　図２
0003097270.tif 000002
【実用新案登録請求の範囲】
【請求項１】
飲料用缶の中仕切りを設けることにより、飲料用缶容器の上、下開口部（タブ）から飲料することを特徴とする飲料用缶容器。
【考案の詳細な説明】
【０００１】
【考案の属する技術分野】
本考案は、飲料缶本体に中仕切りをする事により、飲料（ジュース、ビール）の飲み残しを無くすと思われる。
【０００２】
【従来の技術】
従来のこの種の飲料缶容器については、缶本体が一体となっている物しか現在のところ知られていない。
【０００３】
【考案が解決しようとする課題】
従来の飲料缶容器は、本体が一体化しており、中身が２００ＣＣーから３００ＣＣ
ーの為、小さい子供等は一度の飲むことができない為に飲み残しがあり、それを後で飲む時などは衛生上問題なることもありがちで、これをなくす為に缶中央部の中仕切りを設ける。
【０００４】
【課題を解決するための手段】
飲料用缶容器の中央部に中仕切りを設ける事により、飲み残しをなくす事で衛生上からも良いと考えられる。
【０００５】
【考案の実施の形態】
考案実施の形態については、図面を参照して説明をする。図２においては、飲料用缶容器本体に中仕切りを設ける事により飲み残しなどをなくす事と、１缶で２飲料が楽しめるものと思われる。
【０００６】
【考案の効果】
飲料用容器缶の中央部に中仕切りを設ける事により、飲み残しをなくす事と上下を分ける事により、中身の飲料も分ける事により、１缶で２種類の物が飲料できる。
【図面の簡単な説明】
【図１】従来の飲料用缶容器
【図２】実用新案登録申請の飲料用缶容器
【符号の説明】
１　　缶の本体
２　　開口部（タブ）
３　　缶本体の中央部の中仕切りの部分
【図１】
0003097270.tif 000003
【図２】
0003097270.tif 000004